(57)【要約】【課題】ワイヤーホルダーにハーネスを取り付けるときに生じるハーネスの巻き込み量を最小限にすることによって、コネクタへのストレスの発生を回避する。【解決手段】ワイヤーホルダー１０は、ハーネス２０を保持するための保持部材３と、保持部材３をベース板１に対して回動可能に支持するための支持部材２とを備えたワイヤーホルダーであり、支持部材２は、保持部材３の端部近傍に設けられており、ワイヤーホルダー１０は、固定位置において、ベース板１と嵌合するための嵌合部４ａを備えている。【選択図】図１
2014193052.tif 000002
【特許請求の範囲】
【請求項１】
ワイヤーを保持するための保持部材と、当該保持部材をベース板に対して回動可能に支持するための支持部材とを備えたワイヤーホルダーであって、
上記支持部材は、上記保持部材の端部近傍に設けられており、
当該ワイヤーホルダーは、固定位置において、上記ベース板と嵌合するための嵌合部を備えていることを特徴とするワイヤーホルダー。
【請求項２】
上記保持部材は、当該保持部材のベース板側の面である底面に対向する上面の両端が、上記ベース板の法線方向から見て、当該底面の両端の内側に位置するように成形されていることを特徴とする請求項１に記載のワイヤーホルダー。
【請求項３】
上記保持部材は、当該保持部材のベース板側の面である底面に対向する上面が、当該底面の両端部につながる曲面となるように成形されていることを特徴とする請求項１に記載のワイヤーホルダー。
【請求項４】
上記嵌合部は、上記ベース板に形成された孔に嵌合するための突起であることを特徴とする請求項１から３のいずれか１項に記載のワイヤーホルダー。
【請求項５】
上記保持部材は、開放可能な係合部を備えていることを特徴とする請求項１から４のいずれか１項に記載のワイヤーホルダー。
【請求項６】
請求項１から５のいずれか１項に記載のワイヤーホルダーを備えていることを特徴とするテレビジョン受像機。
【発明の詳細な説明】
【技術分野】
【０００１】
本発明は、ワイヤーホルダーに関する。また、ワイヤーホルダーを備えたテレビジョン受像機に関する。
【背景技術】
【０００２】
近年、液晶テレビの薄型化と狭額縁化により、ＬＥＤバックライト基板の放熱効率の向上を図りながら、各回路基板や接続コネクタの配置も効率的な省スペース化が求められている。このため、ＬＥＤバックライト基板のコネクタやハーネスのコネクタなども、小型化・簡略化が進んでいる。液晶テレビの生産時において電源基板からＬＥＤバックライト基板へハーネスを接続して線整形処理するときに、ＬＥＤバックライトのコネクタやハーネスのコネクタがハーネスによって引っ張られて破損することがある。このため、線整形処理する際に、ハーネスを固定することによって小型化・簡略化されたコネクタを破損しないようにする技術が求められている。
【０００３】
ここで、特許文献１には、回転可能なように基板上に取り付けられ、ケーブルの取付方向を自由に調整できる配線用クランプについて記載されている。
【０００４】
また、特許文献２には、少数本の電線をバンド部に１回転以上巻き付けた状態で、バンドロックによってバンド部の先端を締め付け係止するバンドクリップ固定構造が記載されている。
【先行技術文献】
【特許文献】
【０００５】
【特許文献１】特開平１０−０２６２６２号公報（１９９８年１月２７日公開）
【特許文献２】特開２００２−３５４６３９号公報（２００２年１２月６日公開）
【発明の概要】
【発明が解決しようとする課題】
【０００６】
しかしながら、特許文献１の技術では、クランプ部品が回転可能なように基板上に取り付けられるため、クランプ部品が回転するときにケーブルを大きく巻き込む。このため、基板上のコネクタやハーネスのコネクタにストレスがかかり、ケーブルの不完全挿入や、基板上のコネクタやハーネスのコネクタの破壊といった問題が生じる。
【０００７】
また、特許文献２の技術では、バンド部に電線を巻き付けるときに、電線を引っ張ることによって基板上のコネクタやハーネスのコネクタにストレスがかかる。このため、電線の不完全挿入や、基板上のコネクタやハーネスのコネクタの破壊といった問題が生じる。
【０００８】
本発明は、上記問題を解決するためになされたものであり、その目的は、コネクタに係り得るストレスを抑制しつつハーネスを保持することのできるワイヤーホルダーを実現することにある。
【課題を解決するための手段】
【０００９】
上記の課題を解決するために、本発明に係るワイヤーホルダーは、ワイヤーを保持するための保持部材と、当該保持部材をベース板に対して回動可能に支持するための支持部材とを備えたワイヤーホルダーであって、上記支持部材は、上記保持部材の端部近傍に設けられており、当該ワイヤーホルダーは、固定位置において、上記ベース板と嵌合するための嵌合部を備えていることを特徴とする。
【発明の効果】
【００１０】
本発明によれば、コネクタに係り得るストレスを抑制しつつハーネスを保持することができる。
【図面の簡単な説明】
【００１１】
【図１】本発明の第１の実施形態に係るワイヤーホルダーの構成及び使用方法を説明する図である。
【図２】本発明の第１の実施形態に係るワイヤーホルダーの一連の回動動作を説明する図である。
【図３】本発明の第１の実施形態に係るワイヤーホルダーと他のワイヤーホルダーとの動作の違いを説明する比較図である。
【図４】本発明に係るワイヤーホルダーを備えたテレビジョン受像機の一部分を説明する図である。
【図５】本発明の第２の実施形態に係るワイヤーホルダーの構成を説明する図である。
【図６】本発明の第３の実施形態に係るワイヤーホルダーの構成を説明する図である。
【発明を実施するための形態】
【００１２】
＜実施形態１＞
以下、本発明に係る第１の実施形態を、図面を用いて説明する。
【００１３】
まず、図１は、本発明の第１の実施形態に係るワイヤーホルダーの構成及び使用方法を説明する図である。
【００１４】
〔ワイヤーホルダーの構成〕
図１の（ａ）に示すように、ワイヤーホルダー１０は、ワイヤーを保持するための保持部材３と、保持部材３をベース板１に対して回動可能に支持するための支持部材２とを備えている。さらに、支持部材２は、保持部材３の端部近傍に設けられており、固定位置において、ベース板１に設けられた孔４ｂと嵌合するための突起４ａを備えている。また、保持部材３は、開放可能な６ａと６ｂとからなる係合部６を備えている。
【００１５】
ワイヤーホルダー１０は、絶縁性であることが好ましい。例えば、ワイヤーホルダー１０は、絶縁性樹脂によって成形されている。
【００１６】
なお、ワイヤーとは、例えばハーネスなどの線状の部材のことをいう。
【００１７】
ベース板１は、保持部材３を固定するための板状の部材であり、基板及びバックライトシャーシ等のテレビジョン受像機を構成する部材であってもよい。また、ベース板１はテレビジョン受像機を構成する他の板状の部材であってもよい。ベース板１と保持部材３とは、保持部材３が備える支持部材２と嵌合部４ａの少なくとも２点を用いて固定される。
【００１８】
保持部材３は、帯状の平板の両端を係合することによって筒状構造を形成し、筒状構造の内側にハーネス２０を通すことができるようになっている。保持部材３の筒状構造の内面は、ベース板１と平行になるような底面と上面とを構成している。
【００１９】
ここで、保持部材３は、保持部材３のベース板１側の面である底面に対向する上面の両端が、ベース板１の法線方向から見て、当該底面の両端の内側に位置するように成形されていてもよい。これによって、支持部材２を中心として保持部３を回動させる際に、ハーネス２０が保持部材３に引っ掛からないようにすることができる。
【００２０】
また、保持部材３は、一方の端部近傍に支持部材２を備え、もう一方の端部近傍に嵌合部４ａを備える。なお、保持部材３、支持部材２、及び嵌合部４ａは、一体的に成形されてもよい。
【００２１】
支持部材２は、保持部材３の環状構造の外側のベース板１に対向する面の端部近傍に成形されている。支持部材２は、ベース板１に設けた孔を貫通し、ベース板１より支持部材２が抜けないように支持部材２自身を係止している。これによって、支持部材２は、保持部材３が支持部材２を中心として回動可能となるように、保持部材３をベース板１に対して支持する。
【００２２】
嵌合部４ａは、保持部材３の底面において、支持部材２が設けられた端部に対するもう一方の端部に備えられる。嵌合部４ａは、孔４ｂに嵌合することによって、ベース板１に保持部材３が支持部材２を軸として回動しないように固定する。なお、嵌合部４ａは、孔４ｂに嵌合する突起であることが好ましい。これによって、保持部材３は、ベース板１に容易に固定することができる。他の例として、嵌合部４ａと孔とし、ベース板１が孔４ｂに代えて、孔である嵌合部４ａに嵌合するための突起を備える構成としてもよい。
【００２３】
係合部６は、図１（ａ）に示すように、第１の係合部６ａと第２の係合部６ｂからなり、保持部材３の底面の支持部材２が備えられている側の端部に設けられている。保持部材３の筒状構造を開放可能なように第１の係合部６ａと第２の係合部６ｂとが係合する。また、ハーネス２０を保持した後、ハーネス２０が保持部材３から脱離しないように係合部６の第１の係合部６ａと第２の係合部６ｂが係合する。
【００２４】
〔ワイヤーホルダーの使用方法〕
図１（ａ）は、ハーネス２０を保持する前のワイヤーホルダーを示す図である。ワイヤーホルダーの使用方法として、まず、ハーネス２０を保持部３の筒状構造の内側に導入できるように、保持部材３が備える係合部６の６ａと６ｂとを開放しておく。次に、ハーネス２０を、開放した６ａと６ｂとの間隙を通じて保持部材３の筒状構造の内側に導入する。
【００２５】
図１（ｂ）は、ハーネス２０を保持した状態のワイヤーホルダーを示す図である。図１（ｂ）に示すように、保持部材３が備える係合部６の６ａと６ｂとを係止することによって、ハーネス２０が保持部材３の筒状構造の内側から脱離しないようにする。ここで、ハーネス２０は、保持部材３の筒状構造の内側に摺動可能なように保持されている。
【００２６】
図１（ｃ）は、図１（ｂ）の状態の上面図である。支持部材２を軸として、紙面に向って時計回りに保持部材３を１８０°回転させてから、嵌合部４ａをベース板１の孔４ｂに嵌合する。これによって、保持部材３は、支持部材２を軸として回動しないように固定される。
【００２７】
図１（ｄ）は、図１（ｃ）の状態から支持部材２を軸として保持部材３を紙面に向かって時計回りに１８０°回動させた後の状態を示す図である。保持部材３を１８０°回動させることによって、ハーネス２０は保持部材３に１度巻き取られるような状態になる。これによって、ハーネス２０は、保持部材３の内側を摺動しないように固定される。なお、図１（ｄ）において向かって下側に延伸するハーネス２０は、支持部材２の回動の軸近傍において、保持部材３によって巻き取られる。このため、図１（ｄ）において向って下側に延伸するハーネス２０は、回動に伴ってストレスを発生することなく保持部材３に巻き取られる。
【００２８】
従って、上記構成によればワイヤーホルダー１０にハーネス２０を取り付けるときに生じるハーネス２０の巻き込み量を最小限にすることができ、コネクタへのストレスの発生を回避することができる。
【００２９】
なお、上記の説明から明らかなように、保持部材３をどちらの向きに回転させてから固定するのかは、保持部材３から見て、どちらの方向に延伸するハーネスのコネクタをより保護したいのかに応じて定めることができる。
【００３０】
例えば、図１（ｃ）において、紙面に向かって上側に延伸するハーネスに取り付けられたコネクタをより保護したい場合には、保持部材３を反時計回りに回転させたうえで、ベース板１に対して固定すればよい。この点については、参照する図面を代えて、より具体的に後述する。
【００３１】
〔ワイヤーホルダーの回動動作〕
図２を用いて、ワイヤーホルダーの回動動作の一例について説明する。図２は、本発明の実施形態に係るワイヤーホルダーの一連の回動動作の一例を説明する図である。図２に示される各状態は、Ｘ方向に向かって、ワイヤーホルダー１０が、回動することによって、ハーネス２０を巻き取る一連の動作を示している。
【００３２】
まず、ワイヤーホルダー１０は、保持部材３の筒状構造の内側であり支持部材２の回動の中心となる位置に、ハーネス２０を摺動可能な状態で保持している（図２のＸ方向に向かって１番目）。
【００３３】
次に、ワイヤーホルダー１０は、支持部材２を軸として紙面に向かって時計回りに回動する（図２のＸ方向に向かって２番目）。
【００３４】
ここで、ワイヤーホルダー１０の支持部材２を備える端部とは別のもう一方の端部に、図２において向かって上側に延伸するハーネス２０が当接する。さらに、ワイヤーホルダー１０を時計回りに回動させることによって、図２において向って上側に延伸するハーネス２０は、当該回動に合わせて図２において向って下側に引っ張られるように移動する（図２のＸ方向に向かって３及び４番目）。
【００３５】
ここで、保持部材３のベース板１側の面である底面に対向する上面の両端を、ベース板１の法線方向から見て、当該底面の両端の内側に位置するように成形することによって、ハーネス２０が保持部材３の両端に引っ掛かることを防止できる。このため、ワイヤーホルダー１０が備える保持部材３の筒状構造内を、ハーネス２０がより好適に摺動するようにできる。
【００３６】
さらに、ワイヤーホルダー１０を紙面に向かって時計方向に回動させることによって、図２において向かって上側に延伸するハーネス２０は、ワイヤーホルダー１０の保持部材３が備える筒状構造内を、回動の軸である支持部材２に引き寄せられるような方向に摺動する（図２のＸ方向に向かって５及び６番目）。
【００３７】
最終的に、図２において向かって上側に延伸するハーネス２０は、回動の軸である支持部材２を備える側の保持部材３の端部近傍において、保持部材３の筒状構造に巻き取られるような状態で固定される（図２のＸ方向に向かって７番目）。
【００３８】
ここで、図２において向って支持部材２よりも下側に延伸するハーネス２０は、ワイヤーホルダー１０の保持部材３の筒状構造にほとんど巻き込まれることがない。従って、図２において向って下側に延伸するハーネス２０の端部にコネクタが存在する場合、当該コネクタがストレスの発生によって破損することはない。
【００３９】
次に図３を用いて、さらに詳細に本発明に係るワイヤーホルダーの動作の特徴について説明する。図３は、本発明の実施形態に係るワイヤーホルダーと比較例に係るワイヤーホルダーとの動作の違いを説明する比較図である。より具体的には、保持部材３の端部近傍に支持部材２を備えるワイヤーホルダー１０と、保持部材３の中心部に支持部材２を備えるワイヤーホルダー１１（比較例に係るワイヤーホルダー）との動作の違いを説明する比較図である。
【００４０】
図３（ａ）は、ワイヤーホルダー１０がハーネス２０を保持した後、ワイヤーホルダー１０を時計回りに回動させたうえで固定した状態を示す図である。上述の図２により説明される動作によって、ワイヤーホルダー１０は、図３（ａ）において向って上側に延伸するハーネス２０を、図３（ａ）において向かって下側に引っ張る。一方で、ワイヤーホルダー１０は、図３（ａ）において向って下側に延伸するハーネス２０をほとんど引っ張らない。従って、図３（ａ）において向って下側のハーネス２０の端部にコネクタが存在しても、ストレスによって当該コネクタを破損することはない。
【００４１】
一方で、ワイヤーホルダー１０がハーネス２０を保持した後、ワイヤーホルダー１０を反時計回りに回動させたうえで固定することもできる。
【００４２】
これは、図３の（ａ）状態から、ワイヤーホルダー１０を紙面に向って反時計回りの方向に３６０°回動させたうえで固定することに対応する。
【００４３】
この場合、ワイヤーホルダー１０は、図３（ａ）において向って下側に延伸するハーネス２０を、図３（ａ）において向かって上側に引っ張ることになる。その代わりに、ワイヤーホルダー１０は、図３（ａ）において向って上側に延伸するハーネス２０を、図３（ａ）において向って下側にほとんど引っ張らない。従って、ワイヤーホルダー１０を紙面に向かって時計回りの逆方向に回動させた場合、図３（ａ）において向って上側のハーネス２０の端部にコネクタが存在しても、ストレスによって当該コネクタが破損することはない。
【００４４】
対して、図３（ｂ）に図示される比較例に係るワイヤーホルダー１１は、ワイヤーホルダー１１が備える保持部材の中心部に支持部材２を備えている。このため、支持部材２を軸にして紙面に向って時計回りに回動する際に、ワイヤーホルダー１１は、図３（ｂ）において向って上側に延伸するハーネス２０を、図３（ｂ）において向かって下側に引っ張る。また、同時に、ワイヤーホルダー１１は、図３（ｂ）において向って下側に延伸するハーネス２０を、図３（ｂ）において向かって上側に引っ張る。従って、ハーネス２０の両端部がコネクタにつながっていれば、ハーネス２０がつながるいずれのコネクタにおいても、ワイヤーホルダー１１の回動によって発生するストレスを受けることになる。従って、ハーネス２０のいずれの端部のコネクタもストレスによって破損する可能性がある。
【００４５】
つまり、本発明の実施形態に係るワイヤーホルダー１０は、支持部材２を保持部材３の端部近傍に設けることによって、保持部材３が回動する方向に応じてハーネス２０のいずれか一方をほとんど引っ張らないようにすることができる。これによって、当該一方のコネクタにストレスが発生しないようにすることができる。
【００４６】
〔テレビジョン受像機〕
図４を用いて、テレビジョン受像機に備えられたワイヤーホルダー１０について説明する。図４は、本発明に係るワイヤーホルダー１０を備えたテレビジョン受像機の一部分の一例を説明する図である。
【００４７】
図４に示す通り、バックライトシャーシ３１は、電源３２を備えており、電源３２を備える面の反対側の面に、ＬＥＤバックライト３３を３つ保持している。各ＬＥＤバックライト３３は、それぞれにコネクタ３４を備えており、各コネクタ３４は、分岐したハーネス２０にそれぞれ接続されている。分岐したハーネス２０は、それぞれ開口部３５からバックライトシャーシ３１の電源３２が設けられた面に通じ、それぞれバックライトシャーシ３１をベース板１として利用するワイヤーホルダー１０によって、バックライトシャーシ３１の上に固定されている。３つに分岐したハーネス２０は、１本にまとめられ電源３２に接続されている。
【００４８】
（ハーネスの固定）
テレビジョン受像機の組み立て工程において、ワイヤーホルダー１０を用いてハーネスを固定するまでの手順を説明すれば以下の通りである。
【００４９】
まず、バックライトシャーシ３１に所定の数のＬＥＤバックライト３３を固定する。次に、バックライトシャーシ３１の電源３２を備える面からＬＥＤバックライト３３を固定する面へ、開口部３５通じて分岐したハーネス２０の端部を通す。次に、各ハーネス２０の分岐をＬＥＤ３３が備えるコネクタ３４に接続する。次に、ワイヤーホルダー１０によって、分岐された側のハーネス２０をバックライトシャーシ３１の電源３２側の面に固定する。ここで、ワイヤーホルダー１０は、保持部材３における支持部材２を備える側の端部とは別のもう一方の端部にハーネス２０を巻き込ませつつ、開口部３５から遠ざかるように回動させた後に、嵌合部４ａを孔４ｂに嵌合することによって固定すればよい。これによって、コネクタ３４側にストレスを発生させることなく、ワイヤーホルダー１０はハーネス２０を固定する。また、ハーネス２０は、ワイヤーホルダー１０に１度巻き取られたような状態になる。このため、コネクタ３４側につながるハーネス２０は、保持部材３の筒状構造の内側を摺動しないように固定される。従って、以後のテレビジョン受像機の生産作業において、ハーネス２０が引っ張られることにより生じるストレスによってコネクタ３４が破損することを防止することができる。
【００５０】
＜実施形態２＞
第２の実施形態について説明する。実施形態１の保持部材３では、保持部材３の底面の支持部材２が備えられている側の端部に係合部６が設けられている。他の例として、係合部６’を、保持部材３’の底面の支持部材２が備えられていない側の端部に設ける構成としてもよい。
【００５１】
図５に示す通り、保持部材３’は、保持部材３’の底面の支持部材２が備えられていない側の端部に係合部６’を設けている。当該係合部６’は、図１（ａ）の場合と同様に開放可能なように係合されている。
【００５２】
この構成によれば、開放された係合部６の間隙を通じて保持部材３’の筒状構造の内側にハーネス２０を導入することができる。
【００５３】
＜実施形態３＞
第３の実施形態について説明する。実施形態１及び２の保持部材３及び３’では、保持部材３及び３’のベース板１側の面である底面に対向する上面の両端が、ベース板１の法線方向から見て、当該底面の両端の内側に位置するように成形されている。他の例として、保持部材３”は、ベース板１側の面である底面に対向する上面が当該底面の両端部につながる曲面となるように成形されてもよい。
【００５４】
図６に示す通り、保持部材３”におけるベース板１側の面である底面に対向する上面は、当該底面の両端部につながる曲面となるように成形されており、上面において角が存在しないようになっている。
【００５５】
この構成によれば、支持部材２を中心として保持部３”を回動させる際に、保持部材３”の上面に角がないため、ハーネス２０が保持部材３”の上面の角に引っ掛かることがない。従って、保持部材３”が、ハーネス２０を巻き取り易くなる。なお、図６に示す通り、保持部材３”は係合部６”を備えてもよい。
【００５６】
〔まとめ〕
本発明の態様１に係るワイヤーホルダーは、ハーネス２０を保持するための保持部材３と、保持部材３をベース板１に対して回動可能に支持するための支持部材２とを備えたワイヤーホルダー１０であって、支持部材２は、保持部材３の端部近傍に設けられており、ワイヤーホルダー１０は、固定位置において、ベース板１と嵌合するための嵌合部４ａを備えていることを特徴とする。
【００５７】
上記構成によれば、ワイヤーホルダー１０は、ハーネス２０を保持部材３の筒状構造の内側に導入し、支持部材２を軸として保持部材３を回動させることによって、ハーネス２０を保持部材３に容易に巻き取ることができる。また、支持部材２は、保持部材３の端部近傍に設けられているため、保持部材３の回動する方向に応じて、ハーネス２０のいずれか一方につながる端部をほとんど引っ張らないようにすることができる。従って、当該一方の端部につながるコネクタ３４にストレスが発生しないようにすることができる。さらに、保持部材３を回動させた後、当該保持部材３を嵌合部４ａによってベース板１に設けられた孔４ｂに嵌合することによって固定することができる。これによって、保持部材３に巻き取られたハーネス２０が、保持部材３の内側を摺動しないように固定することができる。従って、ワイヤーホルダー１０にハーネス２０を取り付けるときに生じるハーネス２０の巻き込み量を最小限にすることができ、コネクタ３４へのストレスの発生を回避することができる。
【００５８】
本発明の態様２に係るワイヤーホルダー１０は、上記態様１において、保持部材３は、保持部材３のベース板１側の面である底面に対向する上面の両端が、上記ベース板の法線方向から見て、当該底面の両端の内側に位置するように成形されていてもよい。
【００５９】
上記構成によれば、保持部材３が支持部材２を軸として回動する際に、保持部材３の上面の両端にハーネス２０が引っ掛かり難くすることができる。このため、ハーネス２０が保持部材３の筒状構造内を好適に摺動するようにできる。従って、保持部材３がハーネス２０を巻き取り易くなる。
【００６０】
本発明の態様３に係るワイヤーホルダー１０は、上記態様１又は２において、保持部材３”は、当該保持部材のベース板１側の面である底面に対向する上面が、当該底面の両端部につながる曲面となるように成形されていることを特徴とする。
【００６１】
上記構成によれば、持部材２を中心として保持部３”を回動させる際に、保持部材３”の上面に角がないため、ハーネス２０が保持部材３”の上面の角に引っ掛かることがない。従って、保持部材３”が、ハーネス２０を巻き取り易くなる。
【００６２】
本発明の態様４に係るワイヤーホルダー１０は、上記態様１から３のいずれか１つの態様において、嵌合部４ａは、ベース板１に形成された孔４ｂに嵌合するための突起であってもよい。
【００６３】
上記構成によれば、保持部材３は、ベース板１に容易に固定することができる。
【００６４】
本発明の態様５に係るワイヤーホルダー１０は、上記態様１から４のいずれか１つの態様において、保持部材３は、開放可能な係合部６を備えていることを特徴とする。
【００６５】
上記構成によれば、係合部６を開放することによって、保持部材３の筒状構造の内側にハーネス２０を容易に導入することができるようになる。
【００６６】
本発明の態様６に係るテレビジョン受像機は、ワイヤーホルダー１０を備えていることを特徴とする。
【００６７】
上記構成によれば、ワイヤーホルダー１０によって、コネクタ３４にストレスが発生しないように、ハーネス２０を固定することができる。
【００６８】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【００６９】
本発明は、線整形処理するときに広く利用することができる。特に、液晶テレビの生産時において電源基板からＬＥＤバックライト基板へハーネスを接続して線整形処理するときに有用である。
【符号の説明】
【００７０】
１  ベース板
２  支持部材
３  保持部材
４ａ  嵌合部
４ｂ  孔
６  係合部
１０  ワイヤーホルダー
【図１】
2014193052.tif 000003
【図２】
2014193052.tif 000004
【図３】
2014193052.tif 000005
【図４】
2014193052.tif 000006
【図５】
2014193052.tif 000007
【図６】
2014193052.tif 000008